(57)【要約】  無線送信機は、ＲＦ信号生成回路、ドライバアンプ、及びＤ級増幅器より構成される。ＲＦ信号生成回路において、直交変調したデジタル信号から振幅信号と位相信号を検出し、位相が０°〜１８０°の場合にはＨｉｇｈとなり、位相が１８０°〜３６０°の場合にはＬｏｗとなるパルス位相信号を生成する。振幅信号はパルス位相信号に同期してシグマデルタ変調され、更に、パルス位相信号と混合されてＲＦパルス信号が生成される。ＲＦパルス信号は、ドライバアンプを介してＤ級増幅器に入力され、予め設定した基準電圧に基づいたパルス電圧信号が出力される。これにより、良好な雑音特性及び歪特性を有し、かつ、高い電力効率を有する小型の無線送信機が実現される。
2011078120.tif 000002
【特許請求の範囲】
【請求項１】
デジタル信号の無線送信に適用されるＲＦ信号生成回路であって、
デジタル信号を直交変調する直交変調器と、
前記直交変調器の出力信号の振幅を検出して振幅信号を出力する振幅検出器と、
前記直交変調器の出力信号の位相を検出して位相信号を出力する位相検出器と、
位相信号に基づいてパルス波形のパルス位相信号を生成するパルス位相信号生成器と、
振幅信号をパルス位相信号に同期してシグマデルタ変調するシグマデルタ変調器と、
前記シグマデルタ変調器の出力信号とパルス位相信号とを混合してＲＦパルス信号を生成する混合器を具備することを特徴とするＲＦ信号生成回路。
【請求項２】
前記位相検出器は、前記直交変調器の出力信号を２乗する２乗器と、
前記２乗器の出力信号から交流成分を除去して直流成分を検出するフィルタ回路を具備する請求項１記載のＲＦ信号生成回路。
【請求項３】
前記位相検出器は、前記直交変調器の出力信号と所定の閾値とを比較し、その比較結果を２値に変換する比較器よりなり、
前記混合器は、前記シグマデルタ変調器の出力信号とパルス位相信号との論理積をとるＡＮＤ素子より構成される請求項１又は２記載のＲＦ信号生成回路。
【請求項４】
デジタル信号の無線送信に適用されるＲＦ信号生成回路であって、
デジタル信号の振幅を検出して振幅信号を出力する振幅検出器と、
デジタル信号の位相を検出して位相信号を出力する位相検出器と、
位相信号に基づいてパルス波形のパルス位相信号を生成するパルス位相信号生成器と、
振幅信号をパルス位相信号に同期してシグマデルタ変調するシグマデルタ変調器と、
前記シグマデルタ変調器の出力信号とパルス位相信号とを混合してＲＦパルス信号を生成する混合器を具備することを特徴とするＲＦ信号生成回路。
【請求項５】
前記振幅検出器は、デジタル信号の同相信号の２乗値を算出する第１の２乗器と、
デジタル信号の直交信号の２乗値を算出する第２の２乗器と、
前記第１の２乗器により算出された２乗値と前記第２の２乗器により算出された２乗値との和を計算する加算器と、
前記加算器の加算結果の平方根を計算する２乗根算出器を具備する請求項４記載のＲＦ信号生成回路。
【請求項６】
前記位相検出器は、デジタル信号の同相信号及び直交信号を前記振幅検出器の振幅信号で除算する除算器と、
前記除算器の出力信号を直交変調する直交変調器を具備し、
前記パルス位相信号生成器は、前記直交変調器の出力信号と所定の閾値とを比較し、その比較結果を２値に変換する比較器よりなる請求項４又は５記載のＲＦ信号生成回路。
【請求項７】
前記シグマデルタ変調器は多値出力型である請求項１又は４記載のＲＦ信号生成回路。
【請求項８】
デジタル信号を無線送信する無線送信機であって、
デジタル信号の振幅を検出して振幅信号を出力する振幅検出器と、
デジタル信号の位相を検出して位相信号を出力する位相検出器と、
位相信号に基づいてパルス波形のパルス位相信号を生成するパルス位相信号生成器と、
振幅信号をパルス位相信号に同期してシグマデルタ変調するシグマデルタ変調器と、
前記シグマデルタ変調器の出力信号とパルス位相信号とを混合してＲＦパルス信号を生成する混合器と、
ＲＦパルス信号の正極性レベルを予め設定した基準電圧値に変換し、ＲＦパルス信号の負極性レベルを接地電位に変換する増幅器を具備することを特徴とする無線送信機。
【請求項９】
デジタル信号の無線送信に適用されるＲＦ信号生成方法であって、
デジタル信号を直交変換し、
直交変調されたデジタル信号の振幅を検出して振幅信号を出力し、
直交変調されたデジタル信号の位相を検出して位相信号を出力し、
位相信号に基づいてパルス波形のパルス位相信号を生成し、
振幅信号をパルス位相信号に同期してシグマデルタ変調し、
シグマデルタ変調された振幅信号とパルス位相信号とを混合してＲＦパルス信号を生成することを特徴とするＲＦ信号生成方法。
【請求項１０】
デジタル信号の無線送信に適用されるＲＦ信号生成方法であって、
デジタル信号の振幅を検出して振幅信号を出力し、
デジタル信号の位相を検出して位相信号を出力し、
位相信号に基づいてパルス波形のパルス位相信号を生成し、
振幅信号をパルス位相信号に同期してシグマデルタ変調し、
シグマデルタ変調された振幅信号とパルス位相信号とを混合してＲＦパルス信号を生成することを特徴とするＲＦ信号生成方法。
【請求項１１】
デジタル信号の無線送信に適用される信号処理方法であって、
デジタル信号の振幅を検出して振幅信号を出力し、
デジタル信号の位相を検出して位相信号を出力し、
位相信号に基づいてパルス波形のパルス位相信号を生成し、
振幅信号をパルス位相信号に同期してシグマデルタ変調し、
シグマデルタ変調された振幅信号とパルス位相信号とを混合してＲＦパルス信号を生成し、
ＲＦパルス信号の正極性レベルを予め設定した基準電圧値に変換し、
ＲＦパルス信号の負極性レベルを接地電位に変換することを特徴とする信号処理方法。
【請求項１２】
デジタル信号を無線送信する無線送信機であって、
デジタル信号の振幅を検出して振幅信号を出力する振幅検出器と、
デジタル信号の位相を検出して位相信号を出力する位相検出器と、
位相信号に基づいてパルス波形のパルス位相信号を生成するパルス位相信号生成器と、
振幅信号をパルス位相信号に同期してシグマデルタ変調する多値出力型のシグマデルタ変調器と、
前記シグマデルタ変調器の出力信号とパルス位相信号とを混合してＲＦパルス信号を生成する混合器と、
ＲＦパルス信号を前記シグマデルタ変調器の出力値に応じて予め設定した基準電圧値に変換する増幅器を具備することを特徴とする無線送信機。
【請求項１３】
前記シグマデルタ変調器の出力値の数を外部制御信号に応じて変更するようにした請求項１２記載の無線送信機。
【請求項１４】
外部制御信号を無線信号のキャリア周波数に応じて決定するようにした請求項１３記載の無線送信機。
【発明の詳細な説明】
【技術分野】
【０００１】
本発明は、携帯電話や無線ＬＡＮなどの通信機器においてデジタル信号を無線送信する無線送信機に係り、特にデジタル信号からＲＦパルス信号を生成するＲＦ信号生成回路に関する。
本願は、日本国に出願された特願２００９−２８９７７２号（出願日：２００９年１２月２１日）及び特願２０１０−１９６７８７号（出願日：２０１０年９月２日）に基づき優先権を主張し、その内容をここに援用する。
【背景技術】
【０００２】
携帯電話や無線ＬＡＮなどの通信機器の送信部は、出力電力に関係なく送信信号の精度を確保しつつ低消費電力で動作することが求められる。特に、通信機器の送信部最終段の電力増幅器の消費電力は、通信機器全体の５０％以上を占めるため、高い電力効率であることが求められる。【０００３】
近年、高い電力効率を持つと期待される電力増幅器として、スイッチング増幅器が注目されている。スイッチング増幅器は、入力信号としてパルス波形信号を想定しており、その波形を維持して電力増幅する。スイッチング増幅器で増幅されたパルス波形信号は、フィルタ素子で所望の周波数成分以外の周波数成分を十分に抑制した後、アンテナにより空中に放射される。【０００４】
図１９は、スイッチング増幅器の代表例であるＤ級増幅器１を示す回路図である。Ｄ級増幅器１は、電源２とグランドＧＮＤとの間に２つのスイッチ素子３ａ、３ｂを直列に接続した構成を有する。２つのスイッチ素子３ａ、３ｂには、開閉制御信号として相補的なパルス信号Ｓ１、Ｓ２が入力され、スイッチ素子３ａ、３ｂのどちらか一方のみがＯＮ状態となるよう制御される。電源２側のスイッチ素子３ａがＯＮ、グランドＧＮＤ側のスイッチ素子３ｂがＯＦＦの場合、Ｄ級増幅器１から電源電圧と等しい電圧が出力される。逆に、スイッチ素子３ａがＯＦＦ、スイッチ素子３ｂがＯＮの場合、Ｄ級増幅器１からグランド電位と等しい電圧が出力される。【０００５】
Ｄ級増幅器１は、バイアス電流を必要としないため、電力損失は理想的にはゼロとなる。尚、スイッチ素子３ａ、３ｂはＭＯＳ電界効果トランジスタやバイポーラトランジスタで構成することができる。【０００６】
図２０は、Ｄ級増幅器１を用いた無線送信機５の構成を示すブロック図である。この構成は、非特許文献１に開示されている。図２０において、図１９と同一の構成部分には同一の符号を付している。無線送信機５は、ＲＦ信号生成回路６、ドライバアンプ７、及びＤ級増幅器１より構成される。例えば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式の場合、デジタルベースバンド８は１０ビット以上の多ビットの無線信号を生成する。【０００７】
Ｄ級増幅器１の入力信号は、パルス波形信号である。パルス波形信号は、１パルスで１ビットしか伝送できないため、デジタルベースバンド８の出力信号は予め１ビット情報に変換しておく必要がある。１ビット情報に変換する回路構成として、所望波の周波数帯域近傍の雑音特性を良好に保つため、シグマデルタ変調器９ａ、９ｂを採用している。この回路構成により、無線送信信号を良好な雑音特性を維持したままパルス波形信号に変換し、Ｄ級増幅器１に入力することが可能となる。
【先行技術文献】
【非特許文献】
【０００８】
【非特許文献１】Ａ．Ｆｒａｐｐｅ，Ｂ．Ｓｔｅｆａｎｅｌｌｉ，Ａ．Ｆｌａｍｅｎｔ，Ａ．ｋａｉｓｅｒ  ａｎｄ  Ａ．Ｃａｔｈｅｌｉｎ，“Ａ  Ｄｉｇｉｔａｌ  ΔΣ  ＲＦ  Ｓｉｇｎａｌ  Ｇｅｎｅｒａｔｏｒ  Ｆｏｒ  Ｍｏｂｉｌｅ  Ｃｏｍｍｕｎｉｃａｔｉｏｎ  Ｔｒａｎｓｍｉｔｔｅｒｓ  Ｉｎ  ９０ｎｍ  ＣＭＯＳ”，ｉｎ  ＩＥＥＥ  ＲＦＩＣ  Ｓｙｍｐ．，ｐｐ．１３−１６，Ｊｕｎｅ  ２００８．
【発明の概要】
【発明が解決しようとする課題】
【０００９】
非特許文献１に記載されたＤ級増幅器１では、実際には高効率内導体電力増幅が達成されない。その理由について以下に説明する。【００１０】
Ｄ級増幅器１を構成するスイッチ素子３ａ、３ｂは、理想的にはＯＮ状態で端子間インピーダンスがゼロ、ＯＦＦ状態で端子間インピーダンスが無限大となる。図１９に示すＤ級増幅器１において、スイッチ素子３ａ、３ｂがそれぞれＯＮ／ＯＦＦ状態から反転した場合、スイッチ素子３ｂの出力端子電圧は電源電圧からグランド電位に瞬時に立ち下がる。また、スイッチ素子３ｂがＯＮ状態になると、負荷とグランドＧＮＤが接続されることとなり、スイッチ素子３ｂには電流が流れる。【００１１】
スイッチ素子３ｂで発生する熱損失は、その出力端子電圧とスイッチ素子３ｂを流れる電流の積に等しい。また、スイッチ素子３ｂがＯＮ状態の場合、その出力電圧はグランド電位、即ちゼロであるため、熱損失は発生しない。一方、スイッチ素子３ｂがＯＦＦ状態の場合には、スイッチ素子３ｂには電流が流れないため、熱損失は発生しない。【００１２】
従って、スイッチ素子３ｂの熱損失は、ＯＮ状態からＯＦＦ状態、若しくはＯＦＦ状態からＯＮ状態、に遷移する過程でのみ発生することになる。例えば、ＯＮ状態からＯＦＦ状態に遷移する過程に発生する熱損失は、スイッチ素子３ｂの出力端子電圧がグランド電位に立ち下がるまでの電圧波形と、その遷移過程でのスイッチ素子３ｂを流れる電流の波形との積（即ち、Ｉ−Ｖオーバーラップ）に等しい。スイッチ素子３ｂが理想的である場合には、出力端子電圧の立ち下がり時間は近似的にゼロであるとみなせるので、電圧波形と電流波形の重複成分も近似的にゼロとなり、熱損失は発生しない。【００１３】
実際には、Ｄ級増幅器１におけるスイッチ素子３ａはＰ型ＦＥＴ、スイッチ素子３ｂはＮ型ＦＥＴで構成される。Ｐ型ＦＥＴでは、ゲート端子に閾値より十分に低い電圧を与えるとドレインとソース間を短絡させるＯＮ状態となり、一方、ゲート端子に閾値より十分に高い電圧を与えるとドレインとソース間を開放するＯＦＦ状態となる。Ｎ型ＦＥＴでは、ゲート端子に閾値より十分に低い電圧を与えるとＯＦＦ状態となり、一方、ゲート端子に閾値より十分に高い電圧を与えるとＯＮ状態となる。【００１４】
ＦＥＴ素子は、チャンネル抵抗やドレイン−ソース間容量などの寄生パラメータにより、ＯＮ状態ではドレイン−ソース間のインピーダンスはゼロより高く、ＯＦＦ状態でもドレイン−ソース間には容量性の有限インピーダンスが存在する。【００１５】
一般に、ＦＥＴ素子で構成したＤ級増幅器では、上側のＰ型ＦＥＴと下側のＮ型ＦＥＴがそれぞれＯＮ／ＯＦＦ状態から反転した場合、Ｎ型ＦＥＴのドレイン電圧はチャンネル抵抗とドレイン−ソース間容量で決まるＲＣ時定数に従って鈍りを持って立ち下がる。このように鈍りが存在する場合には、Ｉ−Ｖオーバーラップは大きくなり、ＦＥＴ素子で発生する熱損失は有限の値となる。【００１６】
ＦＥＴ素子の熱損失は、ドレイン電圧が接地電位に立ち下がるまでの間におけるドレイン電流が大きい場合、無視できないほど大きくなる。図２０に示す無線送信機５では、Ｄ級増幅器１に入力されるパルス波形信号はシグマデルタ変調器９ａ、９ｂにて生成されたクロック同期型のパルス信号である。【００１７】
一方、パルス信号から再生される無線信号の位相は、シグマデルタ変調器９ａ、９ｂのクロック信号とは無相関である。ＦＥＴ素子のドレイン電流の位相は無線信号の位相と等しいことを考慮すると、ドレイン電圧とドレイン電流の位相関係は無相関になる。このことは、ドレイン電圧の立ち下がり開始点で、ドレイン電流が大きくなることを意味する。即ち、Ｄ級増幅器１の消費電力が大きくなる。【００１８】
本発明は、良好な雑音特性及び歪特性を有し、小型で高い電力効率のＲＦ信号生成回路を提供することを目的とする。
また、このＲＦ信号生成回路を用いた無線送信機を提供することを本発明の他の目的とする。
【課題を解決するための手段】
【００１９】
本発明は、デジタル信号の無線送信に適用されるＲＦ信号生成回路であって、デジタル信号を直交変調する直交変調器と、直交変調器の出力信号の振幅を検出して振幅信号を出力する振幅検出器と、直交変調器の出力信号の位相を検出して位相信号を出力する位相検出器と、位相信号に基づいてパルス波形のパルス位相信号を生成するパルス位相信号生成器と、振幅信号をパルス位相信号に同期してシグマデルタ変調するシグマデルタ変調器と、シグマデルタ変調器の出力信号とパルス位相信号とを混合してＲＦパルス信号を生成する混合器を具備する。【００２０】
本発明は、デジタル信号の無線送信に適用されるＲＦ信号生成回路であって、デジタル信号の振幅を検出して振幅信号を出力する振幅検出器と、デジタル信号の位相を検出して位相信号を出力する位相検出器と、位相信号に基づいてパルス波形のパルス位相信号を生成するパルス位相信号生成器と、振幅信号をパルス位相信号に同期してシグマデルタ変調するシグマデルタ変調器と、シグマデルタ変調器の出力信号とパルス位相信号とを混合してＲＦパルス信号を生成する混合器を具備する。【００２１】
本発明は、デジタル信号を無線送信する無線送信機であって、デジタル信号の振幅を検出して振幅信号を出力する振幅検出器と、デジタル信号の位相を検出して位相信号を出力する位相検出器と、位相信号に基づいてパルス波形のパルス位相信号を生成するパルス位相信号生成器と、振幅信号をパルス位相信号に同期してシグマデルタ変調するシグマデルタ変調器と、シグマデルタ変調器の出力信号とパルス位相信号とを混合してＲＦパルス信号を生成する混合器と、ＲＦパルス信号の正極性レベルを予め設定した基準電圧値に変換し、ＲＦパルス信号の負極性レベルを接地電位に変換する増幅器を具備する。【００２２】
本発明は、デジタル信号の無線送信に適用されるＲＦ信号生成方法であって、デジタル信号を直交変換し、直交変調されたデジタル信号の振幅を検出して振幅信号を出力し、直交変調されたデジタル信号の位相を検出して位相信号を出力し、位相信号に基づいてパルス波形のパルス位相信号を生成し、振幅信号をパルス位相信号に同期してシグマデルタ変調し、シグマデルタ変調された振幅信号とパルス位相信号とを混合してＲＦパルス信号を生成する。【００２３】
本発明は、デジタル信号の無線送信に適用されるＲＦ信号生成方法であって、デジタル信号の振幅を検出して振幅信号を出力し、デジタル信号の位相を検出して位相信号を出力し、位相信号に基づいてパルス波形のパルス位相信号を生成し、振幅信号をパルス位相信号に同期してシグマデルタ変調し、シグマデルタ変調された振幅信号とパルス位相信号とを混合してＲＦパルス信号を生成する。【００２４】
本発明は、デジタル信号の無線送信に適用される信号処理方法であって、デジタル信号の振幅を検出して振幅信号を出力し、デジタル信号の位相を検出して位相信号を出力し、位相信号に基づいてパルス波形のパルス位相信号を生成し、振幅信号をパルス位相信号に同期してシグマデルタ変調し、シグマデルタ変調された振幅信号とパルス位相信号とを混合してＲＦパルス信号を生成し、ＲＦパルス信号の正極性レベルを予め設定した基準電圧値に変換し、ＲＦパルス信号の負極性レベルを接地電位に変換する。【００２５】
本発明は、デジタル信号を無線送信する無線送信機であって、デジタル信号の振幅を検出して振幅信号を出力する振幅検出器と、デジタル信号の位相を検出して位相信号を出力する位相検出器と、位相信号に基づいてパルス波形のパルス位相信号を生成するパルス位相信号生成器と、振幅信号をパルス位相信号に同期してシグマデルタ変調する多値出力型のシグマデルタ変調器と、シグマデルタ変調器の出力信号とパルス位相信号とを混合してＲＦパルス信号を生成する混合器と、ＲＦパルス信号を前記シグマデルタ変調器の出力値に応じて予め設定した基準電圧値に変換する増幅器を具備する。
【発明の効果】
【００２６】
本発明によれば、無線送信機に適用されるＤ級増幅器のスイッチ素子の開閉動作における端子間電圧及び電流の重複を減少することができ、以って、スイッチ素子で発生する熱損失を低減することができる。これにより、Ｄ級増幅器において良好な雑音特性及び歪特性を実現し、かつ、高い電力効率を実現することができる。
【図面の簡単な説明】
【００２７】
【図１】本発明の実施例１に係る無線送信機の構成を示すブロック図である。
【図２】実施例１に係る無線送信機の動作を説明するためのタイミングチャートである。
【図３】実施例１に係る無線送信機におけるＲＦ信号生成回路に含まれるＩＱモジュレータの構成を示す回路図である。
【図４】実施例１に係る無線送信機におけるＲＦ信号生成回路に含まれる振幅・位相検出器の構成を示すブロック図である。
【図５】実施例１に係る無線送信機におけるＲＦ信号生成回路に含まれるシグマデルタ変調器の構成を示す回路図である。
【図６】実施例１に係る無線送信機におけるＲＦ信号生成回路に含まれる混合器の構成を示す回路図である。
【図７】実施例１に係る無線送信機におけるＤ級増幅器の構成を示す回路図である。
【図８】Ｄ級増幅器の別の構成を示す回路図である。
【図９】本発明の実施例２に係る無線送信機の構成を示すブロック図である。
【図１０】実施例２に係る無線送信機におけるＲＦ信号生成回路に含まれる振幅検出器の構成を示すブロック図である。
【図１１】実施例２に係る無線送信機におけるＲＦ信号生成回路に含まれる位相検出器の構成を示すブロック図である。
【図１２】本発明の実施例３に係る無線送信機の構成を示すブロック図である。
【図１３】実施例３に係る無線送信機におけるＲＦ信号生成回路に含まれるシグマデルタ変調器の構成を示す回路図である。
【図１４】図１３に示すシグマデルタ変調器に含まれる３値出力型比較器の入出力関係を示すグラフである。
【図１５】図１２に示すＲＦ信号生成回路の後段に接続されたデコーダの動作を示す真理値表である。
【図１６】本発明の実施例４に係る無線送信機の構成を示すブロック図である。
【図１７】実施例４に係る無線送信機におけるＲＦ信号生成回路に含まれるシグマデルタ変調器の構成を示す回路図である。
【図１８】実施例４に係る無線送信機における切替機能付デコーダに適用される２種類の真理値表である。
【図１９】従来技術によるＤ級増幅器の構成を示す回路図である。
【図２０】従来技術によるＤ級増幅器を用いた無線送信機の構成を示すブロック図である。
【発明を実施するための形態】
【００２８】
本発明について、実施例とともに添付図面を参照して詳細に説明する。ここで、同一の構成部分には同一の符号を付すものとする。
【実施例１】
【００２９】
図１は、本発明の実施例１に係る無線送信機１０の構成を示すブロック図である。無線送信機１０は、ＲＦ信号生成回路１１、ドライバアンプ１２、及びＤ級増幅器１３を具備する。ＲＦ信号生成回路１１は、デジタルベースバンド２０、ＩＱモジュレータ２１、振幅・位相検出器２２、パルス位相信号生成器２３、シグマデルタ変調器２４、及び混合器２５より構成される。【００３０】
ＩＱモジュレータ２１は、デジタルベースバンド２０で生成された直交無線信号をＲＦ信号に変換する。振幅・位相検出器２２は、ＲＦ信号に含まれる振幅信号γと位相信号θとを分割抽出する。振幅信号γはシグマデルタ変調器２４に供給され、位相信号θはパルス位相信号生成器２３に供給される。【００３１】
パルス位相信号生成器２３は、位相信号θが０°〜１８０°の場合にはＨｉｇｈとなり、位相信号θが１８０°〜３６０°の場合にはＬｏｗとなるパルス位相信号を生成する。パルス位相信号は、シグマデルタ変調器２４のクロック端子及び混合器２５に供給される。パルス位相信号の立上りエッジは位相信号θが０°の点に一致し、立下りエッジは位相信号θが１８０°の点に一致する。シグマデルタ変調器２４は、パルス位相信号をクロック信号として入力し、振幅信号γをパルス波形のパルス振幅信号に変換して、混合器２５へ供給する。尚、パルス振幅信号のパルスレートは一定ではなく、パルス位相信号に同期して変化する。【００３２】
混合器２５は、パルス振幅信号がＬｏｗの場合にはローレベルを出力し、パルス振幅信号がＨｉｇｈの場合にはパルス位相信号と等しいレベルを出力する。Ｄ級増幅器１３は、電源３０と接地ＧＮＤとの間に２つのスイッチ素子３１ａ、３１ｂを直列接続して構成される。Ｄ級増幅器１３は、スイッチ素子３１ａ、３１ｂに入力されたパルス波形と同一の波形を持つパルス電圧信号を出力する。【００３３】
Ｄ級増幅器１３のスイッチ素子３１ａ、３１ｂには、混合器２５の出力信号及びその相補信号がドライバアンプ１２を介して入力される。フィルタ回路１４は、Ｄ級増幅器１３の後段に接続されており、ＲＦ信号の周波数帯域に一致した通過帯域を有し、Ｄ級増幅器１３から出力されるパルス電圧信号に含まれるＲＦ信号のみを選択的に通過させる。フィルタ回路１４の後段には負荷１５が接続され、これによりＲＦ信号が再生される。【００３４】
図２は、ＲＦ信号生成回路１１の内部信号や出力信号、並びにＤ級増幅器１３の出力信号を示すタイミングチャートである。具体的には、振幅・位相検出器２２から出力される位相信号θ、パルス位相信号生成器２３から出力されるパルス位相信号、シグマデルタ変調器２４から出力されるパルス振幅信号、混合器２５の出力信号、及びＤ級増幅器１３の出力信号を示している。【００３５】
混合器２５の出力信号、即ちＲＦ信号生成回路１１の出力パルス信号において、状態遷移点（即ち、立上りエッジ、立下りエッジ）はパルス位相信号の状態遷移点と一致する。パルス位相信号の立上りエッジ及び立下りエッジはそれぞれ位相信号θの０°及び１８０°に一致するので、ＲＦ信号生成回路１１の出力パルス信号の立上りエッジ及び立下りエッジはＲＦ信号の位相０°及び１８０°に一致する。【００３６】
図２に示すように、Ｄ級増幅器１３の出力信号は入力信号と等しいパルス波形のパルス電圧信号である。Ｄ級増幅器１３の出力端子に接続されるフィルタ回路１４の入出力端子間インピーダンスとして、ＲＦ信号が占有する周波数帯域に対しては負荷１５に比べて十分小さく、その他の周波数帯域に対しては負荷１５に比べて十分に大きいものを用いる。【００３７】
Ｄ級増幅器１３からフィルタ回路１４に入力される電流は、Ｄ級増幅器１３の出力端子のパルス電圧信号に包含されるＲＦ信号成分を負荷１５の抵抗値で割った値に近似的に等しい。即ち、Ｄ級増幅器１３からフィルタ回路１４に入力される電流の波形とＲＦ信号の波形とは等しくなる。換言すれば、Ｄ級増幅器１３の出力電流の位相とＲＦ信号の位相とは一致することとなる。【００３８】
Ｄ級増幅器１３を構成するスイッチ素子３１ａ、３１ｂのＯＮ／ＯＦＦ遷移点はＲＦ信号生成回路１１の出力パルス信号の状態遷移点と一致することを考慮すると、スイッチ素子３１ａ、３１ｂのＯＮ／ＯＦＦ遷移点におけるＤ級増幅器１３の出力電流の位相は０°又は１８０°である。即ち、スイッチ素子３１ａ、３１ｂのＯＮ／ＯＦＦ遷移点においては、出力電流は瞬間的にゼロとなる。【００３９】
従って、本発明の実施例１ではＤ級増幅器１３のスイッチ素子３１ａ、３１ｂのＯＮ／ＯＦＦ遷移点での出力電流をゼロにして、スイッチ素子３１ａ、３１ｂでのＩ−Ｖオーバーラップを最小限に抑えることができる。即ち、非特許文献１に比べて、Ｄ級増幅器１３の消費電力を小さく抑えることが可能となる。【００４０】
図３は、ＲＦ信号生成回路１１のＩＱモジュレータ２１の構成を示す回路図である。ＩＱモジュレータ２１は、ＩＱ局部発振器４０、混合器４１ａ、４１ｂ、及び合成器４２より構成される。ＩＱ局部発振器４０は、ＲＦ信号のキャリア周波数に等しい周波数を有し、かつ、互いに９０°の位相差を有する２つの正弦波形の電圧信号を生成する。【００４１】
混合器４１ａ、４１ｂは各々２つの入力信号の積を出力する。混合器４１ａには、ベースバンド信号ＩとＩＱ局部発振器４０で生成された正弦波信号（位相０°）とが入力される。混合器４１ｂには、ベースバンド信号ＱとＩＱ局部発振器４０で生成された他の正弦波信号（即ち、混合器４１ａに入力された正弦波信号より９０°位相が遅れた正弦波信号）とが入力される。混合器４２は、混合器４１ａ、４１ｂの出力信号の和を出力する。【００４２】
ＩＱ局部発振器４０で生成される２つの正弦波信号、即ち電圧信号Ｖｌｏ＿ｉ、Ｖｌｏ＿ｑ、は数式１及び数式２で表される。【００４３】
【数１】
2011078120.tif 000003
【００４４】
【数２】
2011078120.tif 000004
【００４５】
数式１及び数式２において、ωｃはキャリア周波数に相当する角周波数である。
混合器４１ａ、４１ｂに入力されるベースバンド信号をそれぞれＶｂｂ＿ｉ、Ｖｂｂ＿ｑとすると、数式３及び数式４で表される。【００４６】
【数３】
2011078120.tif 000005
【００４７】
【数４】
2011078120.tif 000006
【００４８】
数式３及び数式４において、Ｂは振幅情報を示し、θは位相情報を示す。ωｂは中間周波数に相当する角周波数である。
混合器４１ａ、４１ｂは、Ｖｌｏ＿ｉとＶｂｂ＿ｉの積、及びＶｌｏ＿ｑとＶｂｂ＿ｑの積をそれぞれ出力する。混合器４１ａ、４１ｂの出力電圧信号をＶｍｉｘ１、Ｖｍｉｘ２とすると、数式５及び数式６で表される。【００４９】
【数５】
2011078120.tif 000007
【００５０】
【数６】
2011078120.tif 000008
【００５１】
合成器４２は、混合器４１ａ、４１ｂの出力信号の和、即ちＶｍｉｘ１とＶｍｉｘ２の和、を算出する。合成器４２の出力電圧信号をＶｃｏｍｂとすると、数式７で表される。【００５２】
【数７】
2011078120.tif 000009
【００５３】
合成器４２の出力電圧信号Ｖｃｏｍｂは、ベースバンド信号の角周波数からωｃだけ増加した信号であり、ＲＦ信号に相当する。【００５４】
図４は、実施例１に係る無線送信機１０の振幅・位相検出器２２の構成を示すブロック図である。振幅・位相検出器２２は、振幅検出器２２ａと位相検出器２２ｂより構成される。振幅検出器２２ａは、ダイオード５１、抵抗５２、及び容量（コンデンサ）５３より構成される。ダイオード５１は、入力電圧の２乗に比例した電流を出力する。ダイオード５１にＲＦ信号が入力された場合、振幅値が大きいほど、ダイオード５１から出力される電流値の時間平均値は大きくなる。【００５５】
ダイオード５１の後段に接続された抵抗５２及び容量５３はフィルタ回路を構成しており、ダイオード５１の出力電流に含まれるＤＣ成分のみを取り出す。このＤＣ成分はダイオード５１の出力電流の時間平均値に等しい。従って、ＲＦ信号の振幅値が大きくなるほど、ＤＣ成分は大きくなる。換言すれば、ダイオード５１に入力されるＲＦ信号の振幅値とダイオード５１の出力電流のＤＣ成分とは、単調増加の関係にあり、かつ、１対１の関係にある。このため、ダイオード５１の出力信号のＤＣ成分からＲＦ信号に含まれる振幅情報を抽出することが可能となる。【００５６】
位相検出器２２ｂは、コンパレータ５４より構成される。コンパレータ５４の出力レベルは、入力信号が正の値の場合にＨｉｇｈとなり、入力信号が負の値の場合にＬｏｗとなる。ＲＦ信号は、位相が０°〜１８０°の場合に正の値となり、位相が１８０°〜３６０°の場合に負の値となる。従って、コンパレータ５４にＲＦ信号を入力すると、位相が０°〜１８０°の場合にＨｉｇｈレベルを出力し、位相が１８０°〜３６０°の場合にＬｏｗレベルを出力する。【００５７】
コンパレータ５４の出力波形は、理想的には矩形波となる。実際には、コンパレータ５４の出力部には寄生的な抵抗・容量が存在するため、コンパレータの出力波形は正弦波に近づく。位相検出器２ｂの後段に接続されるパルス位相信号生成器２３は、正弦波に近づいた位相信号を再び矩形波信号に成形するものである。パルス位相信号生成器２３は、位相検出器２２ｂと同様に、コンパレータで構成することが可能である。但し、寄生パラメータにより矩形波が正弦波に戻ることを避けるため、コンパレータの出力部に高い利得のアンプを接続することにより、位相０°及び１８０°の時点での波形の傾きを急峻にして、コンパレータの出力波形を矩形波に近づけている。【００５８】
図５は、実施例１に係る無線送信機１０のシグマデルタ変調器２４の構成を示す回路図である。
シグマデルタ変調器２４は、入力信号のクロック周波数よりも高いクロック周波数で動作し、入力信号が有する多ビット情報を１ビット情報に変換して出力する。また、シグマデルタ変調器２４で発生する量子化雑音は、ナイキスト周波数で最も高くなり、周波数が低くなるほど小さくなる性質がある。【００５９】
シグマデルタ変調器２４を入力信号のクロック周波数よりも十分高いクロック周波数で動作させることにより、入力信号をナイキスト周波数よりも十分低い周波数領域に押し込めることが可能である。このように高いクロック周波数でシグマデルタ変調器２４を動作させることにより、入力信号が量子化雑音の影響を受けにくくすることができる。【００６０】
シグマデルタ変調器２４は、定倍器６０ａ〜６０ｇ、加算器６１ａ〜６１ｅ、除算器６２ａ〜６２ｃ、及び１ビット比較器６３より構成される。シグマデルタ変調器２４の入力信号をＸ（ｚ）、出力信号をＹ（ｚ）、１ビット比較器６３で発生する量子化雑音をＮ（ｚ）とすると、これらは数式８で定義付けられる。但し、ｚ＝ｅ（ｊω）、ωは角周波数である。【００６１】
【数８】
2011078120.tif 000010
【００６２】
ＤＣ（即ち、周波数がゼロ）の場合、ｚ＝１となるので、量子化雑音Ｎ（ｚ）は０、数式８の分母は１となり、出力信号Ｙ（ｚ）と入力信号Ｘ（ｚ）は等しくなる。これは、ＤＣの場合には、シグマデルタ変調器２４の出力信号Ｙ（ｚ）は量子化雑音の影響を全く受けないことを意味する。【００６３】
図６は、実施例１に係る無線送信機１０のＲＦ信号生成回路１１に含まれる混合器２５の構成を示す回路図である。
混合器２５は論理素子であり、１つのＡＮＤ素子７０で構成できる。ＡＮＤ素子７０は２入力１出力であり、両方の入力がＨｉｇｈの場合のみ出力がＨｉｇｈとなり、両方の入力がＬｏｗの場合には出力がＬｏｗとなる。混合器２５を構成するＡＮＤ素子７０は、パルス位相信号生成器２３の出力信号とシグマデルタ変調器２４の出力信号を入力する。ここで、シグマデルタ変調器２４の出力レベルがＨｉｇｈの場合、ＡＮＤ素子７０はパルス位相信号生成器２３の出力信号をそのまま出力する。逆に、シグマデルタ変調器２４の出力レベルがＬｏｗの場合、ＡＮＤ素子７０の出力はＬｏｗとなる。【００６４】
図７は、実施例１に係る無線送信機１０のＤ級増幅器１３の構成を示す回路図であり、スイッチ素子３１ａ、３１ｂの具体的な構成を示す。
図１に示すように、Ｄ級増幅器１３は２つのスイッチ素子３１ａ、３１ｂを直列接続して構成される。図７に示すように、スイッチ３１ａ、３１ｂは各々制御端子８０、信号端子８１ａ、８１ｂを具備する。制御端子８０にＨｉｇｈが入力されると、信号端子８１ａ、８１ｂは短絡されてＯＮ状態となり、一方、制御端子８０にＬｏｗが入力されると、信号端子８１ａ、８１ｂは接続されずＯＦＦ状態となる。【００６５】
スイッチ素子３１ａ、３１ｂはＭＯＳトランジスタ９０又はバイポーラトランジスタ９１を用いて実現できる。ここで、制御端子８０はゲート９０ａ又はベース９１ａに相当し、信号端子８１ａはソース９０ｂ又はエミッタ９１ｂに相当し、信号端子８１ｂはドレイン９０ｃ又はコレクタ９１ｃに相当する。【００６６】
図８は、Ｄ級増幅器１３の別の構成を示す回路図である。
Ｄ級増幅器１３の構成としては、図１に示した構成以外に図８に示した構成を採用することができる。図８において、Ｄ級増幅器１３は２つのスイッチ素子ＳＷ１、ＳＷ２と２つの電流源ＣＳ１、ＣＳ２より構成される。尚、スイッチ素子ＳＷ１、ＳＷ２は図７に示すＭＯＳトランジスタ９０又はバイポーラトランジスタ９１を用いて実現できる。【００６７】
図８において、左のスイッチ素子ＳＷ１がオフ状態、右のスイッチ素子ＳＷ２がオン状態では、左の電流源ＣＳ１の出力電流がＤ級増幅器１３の外部に出力され、フィルタ回路１４及び負荷１５を経由して右のスイッチ素子ＳＷ２に流れ込む。一方、右の電流源ＣＳ２の出力電流は右のスイッチ素子ＳＷ２に流れ込むため、フィルタ回路１４及び負荷１５には供給されない。【００６８】
逆に、左のスイッチ素子ＳＷ１がオン状態、右のスイッチ素子ＳＷ２がオフ状態では、右の電流源ＣＳ２の出力電流がフィルタ回路１４及び負荷１５を経由して左のスイッチ素子ＳＷ１に流れ込む。スイッチ素子ＳＷ１、ＳＷ２にパルス信号及びその相補信号が入力されると、スイッチ素子ＳＷ１、ＳＷ２は交互にオン／オフされ、負荷１５にはパルスのＨｉｇｈとＬｏｗに対応して正方向と負方向に電流パルスが流れる。フィルタ回路１４は、ＲＦ信号が占有する周波数帯域の成分に対しては入出力間を開放し、一方、ＲＦ信号の周波数帯域外の成分に対しては入出力間を短絡する。従って、負荷１５の両端に現れる電圧信号は入力パルス信号に包含されるＲＦ信号成分のみとなる。【００６９】
実施例１によれば、振幅・位相検出器２２から出力される振幅信号をパルス位相信号生成器２３から出力されるパルス位相信号に同期してシグマデルタ変調器２４で変調するようにしたので、Ｄ級増幅器１３のスイッチ素子（３１ａ、３１ｂやＳＷ１、ＳＷ２）の開閉動作における端子間電圧／電流の重なりを小さくすることができ、以って、スイッチ素子で発生する熱損失を低減することができる。これにより、Ｄ級増幅器１３において良好な雑音特性や歪特性を実現し、かつ、高い電力効率を実現することができる。
【実施例２】
【００７０】
次に、本発明の実施例２について説明する。
図９は、本発明の実施例２に係る無線送信機１００の構成を示すブロック図である。図９において、図１に示す構成部分と同一の構成部分には同一の符号を付し、その説明を省略する。実施例１の無線送信機１０と比較すると、実施例２の無線送信機１００はＲＦ信号生成回路１１をＲＦ信号生成回路１１０に置き換えている。ＲＦ信号生成回路１１０はＲＦ信号生成回路１１と同様の機能を有しているが、信号生成過程が異なる。以下、ＲＦ信号生成回路１１０の構成及び動作について説明する。【００７１】
図９において、ＲＦ信号生成回路１１０はデジタルベースバンド２０、振幅検出器２６、位相検出器２７、パルス位相信号生成器２３、シグマデルタ変調器２４、及び混合器２５より構成される。尚、デジタルベースバンド２０、パルス位相信号生成器２３、シグマデルタ変調器２４、及び混合器２５はＲＦ信号生成回路１１の構成部分と同一である。【００７２】
デジタルベースバンド２０で生成された無線信号（ベースバンド信号）は、振幅検出器２６及び位相検出器２７に入力される。振幅検出器２６は、デジタルベースバンド２０から出力されるベースバンド信号（ＩＱ信号）の２乗和を計算し、ＲＦ信号の振幅値（即ち、振幅信号）を算出する。位相検出器２７は、デジタルベースバンド２０のＩＱ信号と振幅検出器２６の振幅信号を用いてＲＦ信号の位相信号を生成する。振幅検出器２６と位相検出器２７より出力される振幅信号と位相信号は、振幅・位相検出器２２から出力される振幅信号γと位相信号θと同一である。この振幅信号γと位相信号θは、実施例１と同様に、パルス位相信号生成器２３、シグマデルタ変調器２４、及び混合器２５によりＲＦパルス信号に変換されて、ＲＦ信号生成回路１１０より出力される。【００７３】
図１０は、無線送信機１００のＲＦ信号生成回路１１０に含まれる振幅検出器２６の構成を示すブロック図である。振幅検出器２６は、２つの２乗器１２０ａ、１２０ｂ、１つの加算器１２１、及び１つの２乗根算出器１２２より構成される。２乗器１２０ａ、１２０ｂは、入力信号（即ち、Ｉ信号及びＱ信号）の２乗を算出する。加算器１２１は、２乗器１２０ａ、１２０ｂの出力信号（即ち、Ｉ信号の２乗、Ｑ信号の２乗）の和を計算する。２乗根算出器１２２は、加算器１２１の加算結果の２乗根を算出する。ここで、ＩＱ信号は振幅が等しく、かつ、互いに９０°の位相差を有する直交関係にある。従って、ＩＱ信号の振幅値はその２乗和の平方根を算出することで得ることができる。また、ＩＱ信号の振幅値はＲＦ信号の振幅値に等しいため、振幅検出器２６にＩＱ信号を入力することにより、ＲＦ信号の振幅値を得ることができる。【００７４】
図１１は、無線送信機１００のＲＦ信号生成回路１１０に含まれる位相検出器２７の構成を示すブロック図である。位相検出器２７は、除算器１３０とＩＱモジュレータ１３１により構成される。このＩＱモジュレータ１３１は、図３に示したＩＱモジュレータ２１と同一である。除算器１３０は、Ｉ入力端子（Ｉｉｎ）、Ｑ入力端子（Ｑｉｎ）、ｒ入力端子（ｒｉｎ）、Ｉ出力端子（Ｉｏｕｔ）、Ｑ出力端子（Ｑｏｕｔ）を具備する。乗算器１３０は、Ｉ入力端子とＱ入力端子に入力された電圧信号（Ｉ信号、Ｑ信号）をｒ入力端子に入力された電圧信号（√（Ｉ信号の２乗＋Ｑ信号の２乗）＝振幅）で割り算した結果をそれぞれＩ出力端子とＱ出力端子から出力する。【００７５】
数式３及び数式４に示されたデジタルベースバンド信号（即ち、ＩＱ信号）が除算器１３０のＩ入力端子とＱ入力端子に入力され、一方、ｒ入力端子に振幅信号（即ち、データベース信号（ＩＱ信号）が入力された振幅検出器２６の出力信号）が入力される。この場合、除算器１３０のＩ出力端子及びＱ出力端子の出力信号Ｖｂｂ＿ｉθ、Ｖｂｂ＿ｑθは振幅が１の正弦波／余弦波信号として数式９及び数式１０で表される。【００７６】
【数９】
2011078120.tif 000011
【００７７】
【数１０】
2011078120.tif 000012
【００７８】
尚、数式９、数式１０で示すＶｂｂ＿ｉθ、Ｖｂｂ＿ｑθは数式３、数式４で示すＶｂｂ＿ｉ、Ｖｂｂ＿ｑにおいて右辺のＢに１を代入したものに相当する。
除算器１３０の出力信号Ｖｂｂ＿ｉθ、Ｖｂｂ＿ｑθをＩＱモジュレータ１３１に入力すると、ＩＱモジュレータ１３１は数式１１で示される出力信号Ｖｃｏｍｂθを出力する。尚、数式１１で示すＶｃｏｍｂθは数式７で示されるＶｃｏｍｂの右辺においてＢに１を代入したものに相当する。【００７９】
【数１１】
2011078120.tif 000013
【００８０】
数式１１の右辺は、ＲＦ信号の振幅情報が消去され、位相信号のみが残っていることを示す。従って、位相検出器２７は位相信号を出力することとなる。
尚、実施例２の無線送信機１００で用いられるＤ級増幅器１３は、図９に示す構成の他に、図８に示す構成を採用することができる。【００８１】
実施例２によれば、振幅検出器２６から出力される振幅信号を、パルス位相信号生成器２３から出力されるパルス位相信号に同期してシグマデルタ変調器２４で変調するようにしたので、Ｄ級増幅器１３のスイッチ素子（３１ａ、３１ｂ）の開閉動作における端子間電圧及び電流の重複を小さくすることができ、以って、スイッチ素子で発生する熱損失を低減することができる。これにより、Ｄ級増幅器１３において良好な雑音特性及び歪特性を実現し、かつ、高い電力効率を実現することができる。
【実施例３】
【００８２】
次に、本発明の実施例３について説明する。
図１２は、本発明の実施例３に係る無線送信機２００の構成を示すブロック図である。図１２において、図１と同一の構成要素には同一の符号を付し、その説明を省略する。図１に示す実施例１と比較すると、実施例３ではＲＦ信号生成回路１１をＲＦ信号生成回路１１１に置き換え、ドライバアンプ１２をドライバアンプ１２０に置き換え、Ｄ級増幅器１３をＤ級増幅器１３０に置き換えている。また、ＲＦ信号生成回路１１１とドライバアンプ１２０との間にデコーダ１６を挿入している。ＲＦ信号生成回路１１１は、ＲＦ信号生成回路１１においてシグマデルタ変調器２４をシグマデルタ変調器２４１に置き換えている。【００８３】
図１３は、ＲＦ信号生成回路１１１のシグマデルタ変調器２４１の構成を示す回路図である。シグマデルタ変調器２４１は、図５に示したシグマデルタ変調器２４において１ビット比較器６３を３値出力型比較器６４に置き換えたものである。【００８４】
図１４は、シグマデルタ変調器２４１の３値出力型比較器６４の入出力関係を示すグラフである。図１４に示すように、３値出力型比較器６４は入力値に対する判定閾値を２つ（−１／３、１／３）有しており、出力値を３つ（−１、０、１）有する。【００８５】
ＲＦ信号生成回路１１１の混合器２５は、シグマデルタ変調器２４１の出力信号とパルス位相信号生成器２３の出力信号を混合して、その混合信号を出力する。尚、パルス位相信号生成器２３の出力信号は２値（即ち、０又は１）であるため、ＲＦ信号生成回路１１１の出力値の数はシグマデルタ変調器２４１の出力値の数と同じく、３つ（−１、０、１）である。【００８６】
実施例３に係る無線送信機２００において、Ｄ級増幅器１３０は３つのスイッチ素子３１ａ、３１ｂ、３３ａより構成される。このスイッチ素子３１ａ、３１ｂ、３３ａは図１に示したＤ級増幅器１３のスイッチ素子３１ａ、３１ｂと同じ構成であり、各スイッチ素子は制御端子にＨｉｇｈが入力されるとＯＮ状態となり、Ｌｏｗが入力されるとＯＦＦ状態となる。スイッチ素子３１ａには電圧値ＶＤＤの電源３０が接続され、スイッチ素子３１ｂにはグランドＧＮＤが接続され、スイッチ素子３３ａには電圧値ＶＤＤ／２の電源３２が接続される。また、スイッチ素子３１ａ、３１ｂ、３３ａは互いに接続されてＤ級増幅器１３０の出力端子を構成する。【００８７】
３つのスイッチ素子３１ａ、３１ｂ、３３ａのうち、１つのスイッチ素子にのみＨｉｇｈが常に入力され、残りの２つのスイッチ素子にはＬｏｗが入力される。Ｄ級増幅器１３０の出力端子は、Ｈｉｇｈが入力されたスイッチ素子に接続されており、その電圧源の電圧が出力される。即ち、Ｄ級増幅器１３０の出力電圧値は、Ｖｄｄ、Ｖｄｄ／２、０の３値のいずれかになる。【００８８】
Ｄ級増幅器１３０を構成するスイッチ素子３１ａ、３１ｂ、３３ａの制御信号はデコーダ１６で生成される。デコーダ１６は、ＲＦ信号生成回路１１１から出力される３つの値から図１５に示す真理値表に従って、制御信号Ａ、Ｂ、Ｃを生成してドライバアンプ１２０を介してスイッチ素子３１ａ、３３ａ、３１ｂに付与する。即ち、ＲＦ信号生成回路１１１の出力値が１であれば、Ｖｄｄに接続されたスイッチ素子３１ａにＨｉｇｈが入力され、出力値が０であればＶｄｄ／２に接続されたスイッチ素子３３ａにＨｉｇｈが入力され、出力値が−１であればグランドＧＮＤに接続されたスイッチ素子３１ｂにＨｉｇｈが入力される。【００８９】
シグマデルタ変調器２４１の３値出力型比較器６４は、１ビット比較器６３に比べて取り得る出力値の数が多いため、１ビット比較器６３よりも量子化雑音（即ち、入力信号と出力信号との差分）が統計的に小さくなる。従って、実施例３で発生する量子化雑音は実施例１で発生する量子化雑音より小さくなり、その結果、実施例３で生成される無線信号の信号対雑音電力比（ＳＮＲ）は実施例１よりも向上する。【００９０】
実施例３において、ＲＦ信号生成回路１１１の出力値の数及びＤ級増幅器１３０の出力電圧値の数がともに「３」としているが、これらの数を「３」以上の数Ｎに拡張したり、「３」以下の数に減少することも可能である。この場合、量子化雑音の発生量は低減され、以って、実施例３で生成する無線信号のＳＮＲは更に向上する。【００９１】
実施例３に係るＲＦ信号生成回路１１１に含まれるシグマデルタ変調器２４１をＮ値出力型に変更する。このＮ値出力型のシグマデルタ変調器２４１では、出力値を低い方から順にａ（１）、ａ（２）、…、ａ（Ｎ）とし、かつ、ａ（１）＝０とする。シグマデルタ変調器２４１のＮ値出力型への変更は、３値出力型比較器６４を閾値がＮ−１個、出力値がＮ個のＮ値出力型比較器に置き換えることで実現できる。また、Ｄ級増幅器１３０を構成するスイッチ素子の数をＮ個に変更し、スイッチ素子に接続される電源電圧を低い方から順にＶ（１）、Ｖ（２）、…、Ｖ（Ｎ）とし、かつ、Ｖ（１）＝０とする。【００９２】
デコーダ１６は、ＲＦ信号生成回路１１１の出力値がａ（ｍ）（但し、ｍは１〜Ｎの整数）のとき、Ｄ級増幅器１３０を構成するスイッチ素子のうち、電圧値Ｖ（ｍ）に接続されているスイッチ素子のみにＨｉｇｈを入力するような制御信号を生成する。この構成では、ＲＦ信号生成回路１１１の出力値がａ（ｍ）のとき、Ｄ級増幅器１３０から電力値Ｖ（ｍ）が出力される。このようにして、ＲＦ信号生成回路１１１の出力値の数とＤ級増幅器１３０の電圧値の数をそれぞれＮ個に拡張することができる。尚、信号歪を小さくするため、ＲＦ信号生成回路１１１の出力値とＤ級増幅器１３０の電圧値について数式１２に示すように隣り合う出力値の間隔のフルスケールに対する割合が等しくなるように設定すればよい。【００９３】
【数１２】
2011078120.tif 000014
【実施例４】
【００９４】
次に、本発明の実施例４について説明する。
図１６は、本発明の実施例４に係る無線送信機３００の構成を示すブロック図である。図１６において、図１２と同一の構成部分には同一の符号を付してその説明を省略する。実施例３の無線送信機２００に比べて、実施例４の無線送信機３００ではＲＦ信号生成回路１１１をＲＦ信号生成回路１１２に置き換えるとともに、デコーダ１６を切替機能付デコーダ１７に置き換えている。また、無線送信機３００には切替機能付デコーダ１７の内部パラメータを変更する制御器１８が設けられている。ＲＦ信号生成回路１１１に比べて、ＲＦ信号生成回路１１２ではシグマデルタ変調器２４１をシグマデルタ変調器２４２に置き換えている。【００９５】
図１７は、実施例４に係る無線送信機３００に含まれるシグマデルタ変調器２４２の構成を示す回路図である。シグマデルタ変調器２４２は、図１３に示すシグマデルタ変調器２４１において３値出力型比較器６４を切替機能付比較器６５に置き換えた構成である。切替機能付比較器６５は外部制御信号によって、図５に示した１ビット比較器６３と図１３に示した３値出力型比較器６４とのいずれかに切り替わる機能を有する。具体的には、制御信号Ｘが入力されると切替機能付比較器６５は３値出力型比較器６４に変更され、一方、制御信号Ｙが入力されると切替機能付比較器６５は１ビット比較器６３に変更される。【００９６】
切替機能付デコーダ１７は、図１８（ａ）、（ｂ）に示す２種類の真理値表Ａ、Ｂを有しており、制御信号がＸの場合には真理値表Ａを使用し、制御信号がＹの場合には真理値表Ｂを使用する。尚、真理値表Ａは実施例３の無線送信機２００のデコーダ１６が有する真理値表（図１５参照）と同一である。【００９７】
制御器１８は、シグマデルタ変調器２４２の切替機能付比較器６５と切替機能付デコーダ１７への制御信号として２種類の信号Ｘ、Ｙを生成する。制御器１８が制御信号Ｘを出力すると、切替機能付比較器６５は３値出力型に変更されるため、実施例４のＲＦ信号生成回路１１２は実施例３のＲＦ信号生成回路１１１と同一の構成となる。この場合、切替機能付デコーダ１７は図１８（ａ）に示す真理値表Ａを使用することとなり、デコーダ１６と同様に機能する。即ち、制御器１８の制御信号がＸの場合、実施例４の無線送信機３００は実施例３の無線送信機２００と同一の構成となる。【００９８】
一方、制御器１８が制御信号Ｙを出力する場合、切替機能付比較器６５は１ビット型に変更される。また、切替機能付デコーダ１７は図１８（ｂ）に示す真理値表Ｂを使用する。尚、制御信号Ｘの場合にはＲＦ信号生成回路１１２の出力値とＤ級増幅器１３０の電圧値の数は「３」となり、一方、制御信号Ｙの場合には出力値と電圧値の数は「２」となる。即ち、制御信号Ｙに比べて、制御信号Ｘの方が量子化雑音は低くなり、Ｄ級増幅器１３０の出力信号のＳＮＲは高くなる。【００９９】
また、制御信号Ｘの場合にはシグマデルタ変調器２４２の切替機能付比較器６５の出力値の数は「３」となり、制御信号Ｙの場合には出力値の数は「２」となる。シグマデルタ変調器２４２において、切替機能付比較器６５の出力値が小さいほど、その演算処理の負荷が小さくなる。即ち、シグマデルタ変調器２４２の動作速度限界値について、制御信号Ｘの限界値ＳＸよりも制御信号Ｙの限界値ＳＹの方が高くなる。【０１００】
シグマデルタ変調器２４２に入力されるクロック信号は、パルス位相信号生成器２３のパルス位相信号であり、その速度はキャリア周波数に近い。即ち、パルス位相信号の速度がＳＸ以下であるキャリア周波数の場合には、制御器１８は制御信号Ｘを生成し、一方、パルス位相信号の速度がＳＸを超える場合には、制御器１８は制御信号Ｙを生成する。これにより、無線信号のＳＮＲを常に最適な値に設定することができる。【０１０１】
尚、キャリア周波数が動的に変化する状況においても、パルス位相信号の速度がＳＸ以下であるか、若しくは、ＳＸを超えるかにより、制御器１８が制御信号Ｘ、若しくは、制御信号Ｙを出力することにより対応することが可能となる。
【産業上の利用可能性】
【０１０２】
本発明は、携帯電話や無線ＬＡＮなどの通信機器に採用される無線送信機であって、特に、Ｄ級増幅器をＲＦ信号生成回路の出力信号で駆動するような構成に適用されるものである。また、Ｄ級増幅器のスイッチ素子で発生する熱損失を低減できるため、良好な雑音特性及び歪特性を実現し、かつ、高い電力効率を達成し、以って、通信機器の消費電力を低減することができるため、本発明は種々の通信機器に対して高い汎用性を有するものである。
【符号の説明】
【０１０３】
１０    無線送信機
１１    ＲＦ信号生成回路
１２、１２０  ドライバアンプ
１３、１３０  Ｄ級増幅器
１４    フィルタ回路
１５    負荷
１６    デコーダ
１７    切替機能付デコーダ
１８    制御器
２０    デジタルベースバンド
２１    ＩＱモジュレータ
２２    振幅・位相検出器
２３    パルス位相信号生成器
２４、２４１、２４２  シグマデルタ変調器
２５    混合器
２６    振幅検出器
２７    位相検出器
３１ａ、３１ｂ、３３ａ  スイッチ素子
６３    １ビット比較器
６４    ３値出力型比較器
６５    切替機能付比較器
１００、２００、３００  無線送信機
１１０、１１１、１１２  ＲＦ信号生成回路
【図１】
2011078120.tif 000015
【図２】
2011078120.tif 000016
【図３】
2011078120.tif 000017
【図４】
2011078120.tif 000018
【図５】
2011078120.tif 000019
【図６】
2011078120.tif 000020
【図７】
2011078120.tif 000021
【図８】
2011078120.tif 000022
【図９】
2011078120.tif 000023
【図１０】
2011078120.tif 000024
【図１１】
2011078120.tif 000025
【図１２】
2011078120.tif 000026
【図１３】
2011078120.tif 000027
【図１４】
2011078120.tif 000028
【図１５】
2011078120.tif 000029
【図１６】
2011078120.tif 000030
【図１７】
2011078120.tif 000031
【図１８】
2011078120.tif 000032
【図１９】
2011078120.tif 000033
【図２０】
2011078120.tif 000034
【国際調査報告】
2011078120.tif 000035
2011078120.tif 000036
2011078120.tif 000037
2011078120.tif 000038